(57)【要約】【課題】  ビデオカメラに搭載する記録媒体のハードディスクの大容量化を図りながら小型で信頼性の高いビデオカメラを提供する。【解決手段】記録媒体であるハードディスクをハンドグリップ部に搭載させる構成において、光ディスクカバーにハードディスクカバーをスライド方向で契合、契止し、前記記録媒体カバーの契止部材による契止状態を外部から特定の解除部材によってのみ契止解除可能とされる内部空間に載置した。【選択図】  図５
2008160228.tif 000002
【特許請求の範囲】
【請求項１】
画像情報を記録する記録媒体としてハードディスクと、光ディスクとを搭載するビデオカメラにおいて、
前記ビデオカメラの筐体は、本体側筐体と、前記本体側筐体に回動自在に開閉される記録媒体カバーとで構成され、
前記記録媒体カバーは、光ディスクカバーとハードディスクカバーとで構成され、前記ハードディスクカバーは、前記光ディスクカバーにスライドによって嵌合して、押圧によって契合する複数の契合部材と、複数の係止部材によって固着される構造となし、
前記光ディスクは、前記記録媒体カバーを回動によって開閉し、前記ビデオカメラの本体側筐体内に着脱自在に載置され、
前記ハードディスクは、前記記録媒体カバーの前記複数の契合部材、および係止部材によって固着状態とされた前記光ディスクカバーと前記ハードディスクカバーとで構成される内部空間に載置され、前記契合部材の第１の契合部材を前記記録媒体カバーの外部から特定の解除部材によって契合を解除可能とされ、前記記録媒体カバーから取り外れる
ことを特徴とするビデオカメラ。
【請求項２】
請求項１に記載のビデオカメラにおいて、
前記ハードディスクカバーは、前記ハードディスクカバーのスライド方向の後方部分において前記光ディスクカバーと契合する第２の契合部材を設け、前記ハードディスクカバーがスライドによって前記光ディスクカバーに設けられた第２の被契合部によって所定位置に契合された状態で、前記ハードディスクカバーを押圧して前記光ディスクカバーに契合し、前記ハードディスクカバーのスライド方向の前方部においてネジによってスライド方向に螺合して係止される
ことを特徴とするビデオカメラ。
【請求項３】
請求項２に記載のビデオカメラにおいて、
前記ハードディスクカバーのスライド方向は、ハンドグリップによる握り方向と略直交する方向である
ことを特徴とするビデオカメラ。
【請求項４】
請求項３に記載のビデオカメラにおいて、
前記ハードディスクカバーは、前記ハードディスクカバーの上端部において押圧動作によって契合する第１の契合部材を設け、前記ハードディスクカバーの下端部においてネジにより螺合して係止され、
前記ハードディスクカバーの外周近傍で、前記ハードディスクを囲む4辺において、前記第１の契合部材、および前記第２の契合部材、および各々の契合部材に対向する辺位置に配置された前記ネジにより係止される
ことを特徴とするビデオカメラ。
【請求項５】
請求項１乃至４いずれか一項に記載のビデオカメラであって、
前記ハードディスクは１．８インチ型ハードディスクドであることを特徴とするビデオカメラ
【請求項６】
請求項１乃至５いずれか一項記載のビデオカメラであって、
前記光ディスクの直径は８０ｍｍであることを特徴とするビデオカメラ。
【発明の詳細な説明】
【技術分野】
【０００１】
本発明は、ビデオカメラに関するものである。
【背景技術】
【０００２】
特許文献１には、
「一般に従来の撮像装置では、カセットテープとカセットテープ以外の記録媒体、すなわち異なる種類の記録媒体を持つものにおいては、使用者は一方の記録媒体を取り出したいにも関らず、カセットカバーを開くたびに他方の記録媒体が出てくる。そのため操作がしづらく、また他方の記録媒体の収納部が作動し、他方の記録媒体が出てくることに伴って無駄な電力を消費する。」という課題を、
「本発明の撮像装置は、複数の撮影モードを有し、撮影モードに対応する異なる種類の着脱可能な記録媒体を持つ撮像装置であって、撮影モードに応じて、一方の記録媒体の着脱動作を禁止する」という手段を用いて解決することが記載されている。
【０００３】
【特許文献１】特開２００４−１９３６７８号公報（段落番号０００４、０００６参照）
【発明の開示】
【発明が解決しようとする課題】
【０００４】
近年、ビデオカメラは、ディジタル記録技術の開発に伴なって情報の記録媒体を多様化する状況にある。すなわち、記録媒体は、ビデオテープのみならず、光ディスク、ハードディスク、メモリカード等種々の媒体をそれぞれの特徴を生かして搭載され、複数の記録媒体を組み合わせて搭載することにより記録、保存等の使い勝手を向上させている。
【０００５】
このように複数の記録媒体を用いるビデオカメラは、記録媒体の使い分けによって、記録、保存等の使い勝手が向上するが、それぞれの記録媒体の故障の可能性も合わせ持つことになることから、各記録媒体のメンテナンスへの対応も必要とされる。
【０００６】
この点、特許文献１では複数の記録媒体を搭載するビデオカメラについての記載はあるものの、各記録媒体のメンテナンスについては考慮されていない。
【０００７】
さらに、ビデオカメラの記録、保存の使い勝手を向上させるために複数の記録媒体を搭載することや、記録媒体の容量を大容量化することはビデオカメラの大型化の問題があるが、特許文献１ではビデオカメラの小型化のための各記録媒体搭載位置や、配置についての考慮についても記載されていない。
【０００８】
そこで、本発明ではこれらの課題を解決できるビデオカメラを提供することを目的とする。
【課題を解決するための手段】
【０００９】
上記の課題を解決するために、本発明では一例として特許請求の範囲に記載の構成を用いる。
【発明の効果】
【００１０】
本発明によれば、使い勝手のよいビデオカメラを提供することができる。
【発明を実施するための最良の形態】
【００１１】
以下、本発明の実施の形態について、図面を用いて詳細に説明する。
【００１２】
図１は、本発明におけるビデオカメラの概要を示す外観斜視図である。図２は、本発明におけるビデオカメラにおいて、記録媒体である光ディスクを装着するために記録媒体カバーを開いた状態を示した外観斜視図である。図8は従来のビデオカメラの概要を示す外観斜視図である。
【００１３】
図１、図２、図８におけるビデオカメラ１は、記録媒体として光ディスク２、およびハードディスク３を搭載するものであり、図２において示すように、光ディスク２は、ビデオカメラ１の本体に着脱自在に装着し、ハードディスクは、記録媒体カバー５内に例えば精密ドライバー等の特別の工具によって取り出せるように一体的に保持されている。光ディスク２の直径は約８０mmである。
【００１４】
ビデオカメラ本体側の筐体４には、被写体を光学的に入射する光学レンズ部６、撮影時・再生時に映像等を表示するビューファインダ７、および液晶表示部８（図面の背面側に配置されて記載の無い）などをメカフレーム（図示せず）を介して保持している。さらには、ビデオカメラ本体側の筐体４には、光ディスク２を本体に装着するために開閉自在とされた記録媒体カバー５を保持している。光ディスク２のビデオカメラ１への着脱は、従来の記録媒体の着脱と同様に記録媒体カバー５の開閉によって、ビデオカメラ１の光ディスク装着部材に着脱して行う構成である。ここで、本発明の記録媒体の１つであるハードディスク３の設置は、ビデオカメラ１の小型化のために、記録媒体カバー５内に設けている。ハードディスク３は,通常の撮影時においてビデオカメラ１より着脱を行うことのない構造とするために後述する契合部材、係止部材によって固着されている。
【００１５】
ここで、ビデオカメラ１の撮影にあたってのビデオカメラ１の支持は、液晶表示装置の取り付け面と、反対面に取り付けられているハンドグリップバンド９によって行われる。すなわち、ハンドグリップバンド９の下から手を通して、記録媒体カバー５のハードディスクカバー５２を手の平で包み込むようにし、光ディスクカバー５１の上辺部に指の先端を沿えながら、ハンドグリップバンド９によって手の甲側を押させることによりなされる構造である。
【００１６】
搭載されるハードディスク３の記録容量はできる限り大きくすることによってビデオカメラ１の使用態様を拡大できることから、極力大きなディスクサイズのハードディスクを搭載させられることが好ましい。ただ、前述するように、ハードディスクの配置場所は、ビデオカメラ１を支持するハンドグリップ部分とされるため、搭載するハードディスクがビデオカメラ１の撮影時の手による支持を阻害する状態となるような構造を避ける必要がある。一方、標準的な人の手の平により握れる大きさは、光ディスク２のサイズに略等しい８０ｍｍ前後であるため、光ディスクカバー５１の大きさは、光ディスク２を載置するに要する所定の形状を構成するための設計的な自由度は比較的限られる状況にあり、光ディスクカバーの大きさがほぼ定められる状況にある。
【００１７】
図８のビデオカメラでは、１インチ型のハードディスクが使用された場合を示したものであり、ハードディスクの概略の外形寸法は図示の通りである。１インチ型ハードディスクは光ディスクカバー５１とハードディスクカバー５２により形成される空間に固定されている。ハードディスクカバー５２を光ディスクカバー５１に固定するために使用されている係止部材（ネジ）のうち、光ディスク２の記録面と垂直方向のネジは図示の通り５８a、６２、６３の３本である。ネジ５８aはハードディスクカバー５２の外側から螺合するように設置され、ネジ６２、６３は光ディスクカバー５１側から螺合するように設置されている。１インチ型のハードディスクの高さ方向は３０mmであるため、それぞれのネジはハードディスクの載置投影面より外周側において配置されることが示されている。そのため、光ディスク２の記録面と垂直方向にネジを複数設けてもビデオカメラ全体を大型化することなくハードディスクカバー５２を固定することができることを示している。
【００１８】
一方、図１に示すように本発明で用いる１．８インチ型ハードディスクの概略の外形寸法は、高さ方向の形状が５４mmと大きくなり、手の平に包み込むためのハードディスクカバー５２におけるハードディスク３の厚み５ｍｍを占有する領域を広げることになる。さらには、１．８インチ型ハードディスク３の外側において光ディスク２の記録面に垂直方向でネジ締めを行う構造を構成すると、光ディスクカバー５１の上端部に係る指先への手の平からの距離が一層離れてしまい、ビデオカメラの支持を行い難い構造となってしまう。ここで、１、８インチ型ハードディスクを搭載しながら、手の平でハードディスクカバー５１を包み込むようにして支持できるビデオカメラを構成する構造について説明する。
【００１９】
まず、本発明のハードディスク３の装着状態を図５を中心にして説明する。図３は、本発明の記録媒体の1つであるハードディスク３を搭載する記録媒体カバー５を示す外観斜視図である。図４は、図３の記録媒体カバー５の内側からみた斜視図である。図５は、本発明における記録媒体カバー５の分解斜視図である。
【００２０】
図５に示すように、記録媒体カバー５は、光ディスクカバー５１とハードディスクカバー５２を主体として構成されている。ハードディスク３は、周辺部を緩衝部材５４によって保持された状態で、光ディスクカバー５１とハードディスクカバー５２で挟持され、記録媒体カバー５内に一体として内蔵されて構成される。さらに、記録媒体カバー５は、本体側の筐体４に対し回動自在に開閉するための回動支持部材５５を図示しないネジ等によって一体に保持している。また、光ディスク２と回動支持部材５５の間には、光ディスク２との接触を回避するための緩衝板５９を貼付している。
【００２１】
ここで、図３に示されるように、記録媒体カバー５は、ハードディスクカバー５２を光ディスクカバー５１に対し、図面の右方向より白抜き矢印の示す方向にスライドさせて、ハードディスクカバー５２を光ディスクカバー５１とので契合する構造としている。すなわち、契合するためのスライド方向は、ハンドグリップを握る方向と直交する方向である。ハードディスクカバー５２のスライド方向の後方部にはハイドディスクカバー５２の外周縁端から内側に向けて形成された複数個の第２の契合部材（契合爪）５６を設けている。ハードディスクカバー５２の契合爪５６は、光ディスクカバー５１に設けられている第２の被契合部材（被契合凹部）５７と契合して,スライド方向で位置決めがなされる。両部材が契合された状態においてハードディスクカバー５２は、スライド方向の前端部において、ネジ５８bにより光ディスクカバー５１に螺合されている。このようにハードディスクカバー５２と光ディスクカバー５１の固定によって、契合部材と係止部材の固定方向をハードディスクカバー５２のスライド移動方向に並行で、かつ両端部から内側に向けていることにより、また、ハードディスク３を載置したハンドグリップ部におけるハードディスクカバー５２と光ディスクカバー５１との契合を手で握る方向と直交させることにより、ビデオカメラ１の撮影時の支持時に、ハードディスクカバー５２の握り締めによる変形等によって記録媒体カバー５の契合が緩むことを回避させることができ、ハードディスク装着状態を安定にすることを可能としている。
【００２２】
尚、図９は、ハードディスクカバー５２と光ディスクカバー５１の契合を強固にするためにハードディスクカバー５２の上端部に設けられた契合鉤部材６０を拡大して概念的に示した斜視図である。ハードディスクカバー５２に設けられた第１の契合部材（契合鉤）６０は、光ディスクカバー５１に第２の契合部材によって位置決めされた後に、光ディスクカバー５１に設けられた第１の被契合部材（被契合鉤部）６１に押圧して、契合鉤６０の弾性変形により被契合鉤６１と契合する構造である。
【００２３】
さらにハードディスクカバー５２は、図３に示されるようにハードディスクカバー５２の下端部のネジ５８ａにより光ディスクカバー５１に螺合されている。このように、ハードディスクカバー５２の光ディスクカバー５１との固着は、ハードディスクカバー５２の外周端に近い位置において、契合部材と係止部材（ネジ）とを組合わせながら対向配置して行っているので、係止部材の削減を図りながらも固着をより安定に、かつ強固にできている。
【００２４】
また、本来、一般的な撮影時においてはビデオカメラ１に対して着脱を行わないハードディスク３を故障等によってハードディスク３の取り外しを必要とする場合には、まず、ハードディスクカバー５２と光ディスクカバー５１とを係止しているネジ５８ａ、５８ｂの螺合を解除した後、例えばピンセット等の先端が鋭い特定の工具を緩衝部材５９に設けられた２個の穴６１に差し込んで、光ディスクカバー５１に設けられた開口を通して契止鉤６０を弾性変形させ、光ディスクカバー５１とハードディスクカバー５２の契合を解除することによって、ハードディスクカバー５２を光ディスクカバー５１からスライドさせて、契合爪５６の契合を解除してハードディスクカバー５２と光ディスクカバー５１を分離し、ハードディスク３の取り外しを可能にしている。この構成は、ユーザによって間違えてハードディスク３の記録媒体カバー５より離脱を行われないようにしたものであり、ハードディスク３の装着に関する安全性を確保するためである。
【００２５】
一方、ハードディスクカバーから従来のネジ６２、６３を排除し、契合爪５６を被契合凹部５７と契合させることにより、ハードディスク３の故障時等、ハードディスクカバー５２を取り外さなければならない場合のメンテナンスの容易性を達成している。
【００２６】
１．８インチ型のハードディスクを搭載しながら、ハードディスカバー５２と光ディスクカバー５１との固着をハードディスクカバー５２の外周端近傍において、契合部材と係止部材の対向配置によって固着する構成によって、ビデオカメラ１の全体の大型化を防止することを可能としている。
【００２７】
このようにして、ハードディスクの大容量化と、ビデオカメラの大型化防止と、信頼性を有するビデオカメラを提供できる。
【図面の簡単な説明】
【００２８】
【図１】本発明におけるビデオカメラの概要を示す外観斜視図である。
【図２】本発明のビデオカメラにおいて、記録媒体である光ディスクを装着するために記録媒体カバーを開いた状態を示した外観斜視図である。
【図３】本発明の記録媒体の1つであるハードディスクを搭載する記録媒体カバーを示す外観斜視図である。
【図４】本発明における図３の記録媒体カバー５の内側からみた斜視図である。
【図５】本発明における記録媒体カバー５の分解斜視図である。
【図６】本発明におけるビデオカメラの外観図である。
【図７】本発明におけるビデオカメラの断面図である。
【図８】1インチ型ハードディスク搭載のビデオカメラの外観斜視図である。
【図９】本発明のハードディスクカバーの第１の契合部材の契合を示す概念斜視図である。
【符号の説明】
【００２９】
１  ビデオカメラ
２  光ディスク
３  ハードディスク
４  本体側筐体
５  記録媒体カバー  ５１  光ディスクカバー    ５２  ハードディスクカバー
５４  緩衝部材    ５５回動支持部材    ５６  第１の契合部材（契合爪）
５７  第１の被契合部材（被契合凹部）
５８a、５８b、６２、６３    係止部材（ネジ）
５９  緩衝部材
６０  第２の契合部材（契止鉤）    ６１  第２の被契合部材（被係合鉤）
６    光学レンズ部
７    ビューファインダ
８    液晶表示装置
【図１】
2008160228.tif 000003
【図２】
2008160228.tif 000004
【図３】
2008160228.tif 000005
【図４】
2008160228.tif 000006
【図５】
2008160228.tif 000007
【図６】
2008160228.tif 000008
【図７】
2008160228.tif 000009
【図８】
2008160228.tif 000010
【図９】
2008160228.tif 000011